(57)【要約】【課題】食事使用後のエプロンを介護者から取外し易くし、しかも、介助者が使用後のエ  プロンを腕に掛けて回収することで、多数の介護者のエプロンを短時間で回収すること ができ、多数の介護者のエプロンを片づけ易くする使い捨て型介護用エプロンを提供す  る。【解決手段】表が吸水性シートで裏が非吸水性シートからなるエプロン部と首掛け部  からなるエプロンであって、該首掛け部は二層のシートで形成され且つ中央部に切り込 み部を有し、この切込み部から二分割可能であり分割後に環状の手提げとなることを特 徴とする使い捨て型介護用エプロン。【選択図】    図４
0003175616.tif 000002
【実用新案登録請求の範囲】
【請求項１】
表が吸水性シートで裏が非吸水性シートからなるエプロン部と首掛け部
からなるエプロンであって、該首掛け部は二層のシートで形成され且つ中央部に切り
込み部を有し、この切込み部から二分割可能であり分割後に環状の手提げとなることを 
特徴とする使い捨て型介護用エプロン。
【請求項２】
該エプロン部は上端部の吸水性シートと非吸水性シートが開口されてい
ることを特徴とする請求項１に記載の使い捨て型介護用エプロン。
【考案の詳細な説明】
【技術分野】
【０００１】
本考案は、使用後に取り扱いが容易な使い捨て型介護用エプロンに関する。
詳しくは、介護において、食事時に介護・介助を必要とする方及び自分で食事をする
方が使用するエプロンであって、しかも、介助をする方も衛生的且つ便利に使用でき
る使い捨て型介護用エプロンに関する。
【背景技術】
【０００２】
従来の食事介護・介助時は、自宅では何もつけずこぼしたら拭くかタオルを胸に掛
けるくらい、服につけば着替えさすという具合である。又、介護施設では、ビニール製        
のエプロンを使用しその都度洗って一日３回程度使用している所が大半である。しか
し、ビニール製の物は洗えば使える利点はあっても、施設においては手間と水道代も
かかり、ビニールであるとはいえ生乾きを使えば衛生的にもよくない。
一日３回の洗濯や折り畳みの作業は、施設等の介護者が大勢の場合には人手と時間を  要し、介助者の負担増につながっている。    
最近の介護現場においては、介護者人数の増加に伴い介助者一人あたりの負担が
増えて、少人数の介助者で多用をこなさなければならなくなっている。
こうした状況から、介護用エプロンも使い捨てで且つ介助者の作業軽減が可能な使
い捨て型介護用エプロンの出現が強く求められている。
【０００３】
幼児を主眼におき、涎掛けのような外形からなり、水分、油分を吸収する別素材を
重ね、下部分に折り返しをつけた紙エプロンが提案されている。（特許文献１）
しかし、介護においては、下の部分をおぼんに挟むことで、物が床に落ちるのも
防げるので、短い物は利便性が悪い。又衛生面からみても毎時替えた方がよいので、
厚くする必要はなく使いやすさと捨てやすさから見ても介護・介助用には向かない。
また、介護者の衣服を清潔に保つと共に介助者の負担を低減する目的で、表面が
吸収素材で裏面を非吸水素材からなり、使用後に縦襟部を分割して廃棄可能な使い捨て  型の介護用エプロンが提案されている。（特許文献２）
しかし、該使い捨てエプロンは、使用後に一人分づつをその都度廃棄処理する必要  
があることから、多人数の介護者の介護を行う際には処理に手間がかかるとい
う欠点があった。    
【先行技術文献】
【特許文献】
【０００４】
【特許文献１】実用新案公開平０５−８１２１１
【特許文献２】特開２００６−１６７３６
【考案の概要】
【考案が解決しようとする課題】
【０００５】
本考案の目的は、従来の介護用エプロンの欠点を改良し、介護・介助が衛生的且つ
利便性に優れた使い捨て型介護用エプロンを提案することである。
より詳しくは、食事使用後のエプロンを介護者から取外し易くし、しかも、介助者が  多数の介護者のエプロンを片づけ易くする使い捨て型介護用エプロンを提供することで  ある。
【課題を解決するための手段】
【０００６】
本考案は、上記課題を達成するためになされたものである。
即ち、表が吸水性シートで裏が非吸水性シートからなるエプロン部と首掛け部      か  らなるエプロンであって、該首掛け部は二層のシートで形成され且つ中央部に切り込み  部を有し、この切込み部から二分割可能であり分割後に環状の手提げとなることを特徴  とする使い捨て型介護用エプロンである。
また、上記において、エプロン部は上端において吸水性シートと非吸水性シートが    が開口されていることを特徴とする使い捨て型介護用エプロンである。
【考案の効果】
【０００７】
本考案は、従来品の使用における背景から起きる課題を全て解決した介護エプロン
を提供することができる。
即ち、
１．使い捨てなので、手間が省け水道代もいらない。
２．裏がビニールなので染みない。
３．食事後は首かけ中央を切り離し、そのまま手提げ部を片手に掛けるか、必要に応        じては上から手を入れ返すことで衛生的に処理できる。手提げ部を片方に掛けて        いけば大人数待たせることなく外していける。
４．ゴアつかず食事し易い。
５．表は紙なので口や手についた物も拭き易い。
【図面の簡単な説明】
【０００８】
【図１】図１は、本考案の使い捨て型介護用エプロンの外観を示す模式図である。
【図２】図２は、使用後に首掛け部を中央から分割した状態を示す模式図である。
【図３】図３は、首掛け部の袋状手提げ機能を示す模式図である。
【図４】図４は、介助者が使い捨て型介護用エプロンを腕に掛けた状態を示す模式            図である。
【図５】図５は、介助者が使い捨て型介護用エプロンの複数枚を腕に掛けた状態を示す          模式図である。
【図６】図６は、本考案の使い捨て型介護用エプロンの使用方法を示す模式図である。
【考案を実施するための形態】
【０００９】
本考案を実施するための形態を、図を用いて更に詳細に説明する。
図１は、本考案の使い捨て型介護用エプロンの外観を示す。
本考案の使い捨て型介護用エプロンは、エプロン部１と首掛け部２とから構成され
ている。エプロン部１は、表面が吸水性シートからなり、裏面が非吸水性シートから構  成される。
表面に使用する吸水性シートの素材は特に限定されないが、例えばパルプ、レーヨ
ン等の親水性繊維素材を用いることができる。好ましくは、キッチンペーパー等の素材  である。
裏面に使用する非吸水性シートの素材としては、特に限定されないが、ポリエチレ
ンやポリプロピレン等の疎水性素材からなるプラスチックシートが用いられる。    
エプロン１の上端部を除き、周辺部は吸水性シートと非吸水性シートが接着または
縫着されている。
エプロン部１の上端部は吸水性シートと非吸水性シートは接着されておらず、
介護者がエプロンを使用した後に、両シートをめくり上げて表裏反転させることによ  り吸水性シートに付着したこぼれ物等を内側に包み込むことも可能である。  
本考案の使い捨て型介護用エプロンの外形は、特に特定されないが、使用のし易さ
からおよそ矩形であることが好ましい。  
エプロンの大きさは、特に限定されないが、幼児用であれば幅２０乃至３０ｃｍ縦
２０乃至５０ｃｍが、大人用であれば幅３０乃至５０ｃｍ縦３０乃至８０ｃｍが好ま
しい。
【００１０】
首掛け部２は、二層のシートで形成され且つ中央部に切り込みを有し、この切込み部  から二分割可能であり、分割後に環状の手提げとなることを特徴としている。
二層のシート部の材質は、特に限定されないが、エプロン部のプラスチックシート
であることが好ましい。
該首掛け部の中央部には、ミシン目等の切り込み部を入れて二分割可能であり、切    り離し可能とすることや、あらかじめ切り離された部分を軽微に接着しておく方法が
採用されるが、これらに限定されるものではない。
【００１１】
図２は、本考案の使い捨て型介護用エプロンの首掛け部を中央部から二分割して切
り離した状態を示す。
首掛け部は、切り込み部分を頂点に二層になっておりこの二層部を開くことにより
環状の手提げ形状となるように構成されている。
環状部の長さは特に限定されないが、開口した際に介助者の腕に掛けやすいように
約１０ｃｍ〜２０ｃｍの範囲が好ましい。  
【００１２】
図３は、図２で切り離した首掛け部を開いて環状とし、この環に腕を通す状態にし
た様子を示す。
【００１３】
図４は、本考案の使い捨て型介護用エプロンの首掛け部を開口して介助者が腕に掛
けた状態を示す。
図５は、介助者が使い捨て型介護用エプロンの複数枚を腕に掛けた状態を示す。  
このように介助者が使用後のエプロンを腕に掛けて回収することで、多数の介護者
のエプロンを短時間で回収することができる点が本考案の重要な特徴である。
【００１４】
また、本考案では、エプロンの上端部の吸水性シートと非吸水性シート部が開口して  いることから、容易にめくり上げることが可能であることが本考案の特徴である。
図６において、図６ａは使用後のエプロンをそのままの状態で捨てる場合の模式図
であり、図６ｂは介護者がエプロンに食べ物等をこぼした場合に、エプロン上端部の開  口を利用してエプロンを表裏反転させて、こぼした食べ物をエプロンの内部に包み込ん  だ状態を示す。
【産業上の利用可能性】
【００１５】
本考案は、介護施設等で利用できるだけでなく、家庭で野外でのバーベキュー等の
レジャー時の使用にも役立つことができる。
【符号の説明】
【００１６】
１  介護用エプロンの本体部分
２  介護用エプロンの首掛け部分
３  切り込み部
４  首掛け部の袋状部分
５  上端部の開口状態
【図１】
0003175616.tif 000003
【図２】
0003175616.tif 000004
【図３】
0003175616.tif 000005
【図４】
0003175616.tif 000006
【図５】
0003175616.tif 000007
【図６】
0003175616.tif 000008
【手続補正書】
【提出日】平成24年3月13日(2012.3.13)
【手続補正１】
【補正対象書類名】実用新案登録請求の範囲
【補正対象項目名】全文
【補正方法】変更
【補正の内容】
【実用新案登録請求の範囲】
【請求項１】
表が吸水性シートで裏が非吸水性シートからなるエプロン部と首掛け部からなるエプロンであって、該首掛け部は二層のシートで形成され且つ中央部に切り込み部を有し、この切込み部から二分割可能であり、分割した一対の首掛け部が、二層のシートを開くことによって一対の環状の手提げとなる構造を有することを特徴とする使い捨て型介護用エプロン。
【請求項２】
該エプロン部は上端部の吸水性シートと非吸水性シートが開口されていることを特徴とする請求項１に記載の使い捨て型介護用エプロン。                
【手続補正２】
【補正対象書類名】明細書
【補正対象項目名】全文
【補正方法】変更
【補正の内容】
【考案の詳細な説明】
【技術分野】
【０００１】    本考案は、使用後に取り扱いが容易な使い捨て型介護用エプロンに関する。        詳しくは、介護において、食事時に介護・介助を必要とする方及び自分で食事をする方が使用するエプロンであって、しかも、介助をする方も衛生的且つ便利に使用できる使い捨て型介護用エプロンに関する。
【背景技術】
【０００２】          従来の食事介護・介助時は、自宅では何もつけずこぼしたら拭くかタオルを胸に掛  けるくらい、服につけば着替えさすという具合である。又、介護施設では、ビニール製のエプロンを使用しその都度洗って一日３回程度使用している所が大半である。しかし、ビニール製の物は洗えば使える利点はあっても、施設においては手間と水道代もかかり、ビニールであるとはいえ生乾きを使えば衛生的にもよくない。          一日３回の洗濯や折り畳みの作業は、施設等の介護者が大勢の場合には人手と時間を要し、介助者の負担増につながっている。    最近の介護現場においては、介護者人数の増加に伴い介助者一人あたりの負担が増えて、少人数の介助者で多用をこなさなければならなくなっている。          こうした状況から、介護用エプロンも使い捨てで且つ介助者の作業軽減が可能な使い捨て型介護用エプロンの出現が強く求められている。【０００３】          幼児を主眼におき、涎掛けのような外形からなり、水分、油分を吸収する別素材を重ね、下部分に折り返しをつけた紙エプロンが提案されている。（特許文献１）        しかし、介護においては、下の部分をおぼんに挟むことで、物が床に落ちるのも防げるので、短い物は利便性が悪い。又衛生面からみても毎時替えた方がよいので、厚くする必要はなく使いやすさと捨てやすさから見ても介護・介助用には向かない。      また、介護者の衣服を清潔に保つと共に介助者の負担を低減する目的で、表面が  吸収素材で裏面を非吸水素材からなり、使用後に縦襟部を分割して廃棄可能な使い捨て型の介護用エプロンが提案されている。（特許文献２）          しかし、該使い捨てエプロンは、使用後に一人分づつをその都度廃棄処理する必要があることから、多人数の介護者の介護を行う際には処理に手間がかかるという欠点があった。    
【先行技術文献】
【特許文献】
【０００４】
【特許文献１】実用新案公開平０５−８１２１１
【特許文献２】特開２００６−１６７３６
【考案の概要】
【考案が解決しようとする課題】
【０００５】          本考案の目的は、従来の介護用エプロンの欠点を改良し、介護・介助が衛生的且つ  利便性に優れた使い捨て型介護用エプロンを提案することである。    より詳しくは、食事使用後のエプロンを介護者から取外し易くし、しかも、介助者が多数の介護者のエプロンを片づけ易くする使い捨て型介護用エプロンを提供することである。
【課題を解決するための手段】
【０００６】          本考案は、上記課題を達成するためになされたものである。  即ち、表が吸水性シートで裏が非吸水性シートからなるエプロン部と首掛け部        からなるエプロンであって、該首掛け部は二層のシートで形成され且つ中央部に切り  込み部を有し、この切込み部から二分割可能であり、分割した一対の首掛け部が二層のシートを開くことによって一対の環状の手提げとなる構造を有することを特徴とする使い捨て型介護用エプロンである。    また、上記において、エプロン部は上端において吸水性シートと非吸水性シートが    開口されていることを特徴とする使い捨て型介護用エプロンである。
【考案の効果】
【０００７】          本考案は、従来品の使用における背景から起きる課題を全て解決した介護エプロン        を提供することができる。          即ち、          ・  使い捨てなので、手間が省け水道代もいらない。          ・  裏がビニールなので染みない。          ・  食事後は上から手を入れ返すことで衛生的に処理でき、手提げ部を片方に掛けていけば大人数待たせることなく外していける。          ・  ゴアつかず食事し易い。          ・  表は紙なので口や手についた物も拭き易い。
【図面の簡単な説明】
【０００８】
【図１】図１は、本考案の使い捨て型介護用エプロンの外観を示す模式図である。
【図２】図２は、使用後に首掛け部を中央から分割した状態を示す模式図である。
【図３】図３は、首掛け部の袋状手提げ機能を示す模式図である。
【図４】図４は、介助者が使い捨て型介護用エプロンを腕に掛けた状態を示す模式図である。
【図５】図５は、介助者が使い捨て型介護用エプロンの複数枚を腕に掛けた状態を示す模式図である。
【図６】図６は、本考案の使い捨て型介護用エプロンの使用方法を示す模式図である。
【考案を実施するための形態】
【０００９】本考案を実施するための形態を、図を用いて更に詳細に説明する。        図１は、本考案の使い捨て型介護用エプロンの外観を示す。          本考案の使い捨て型介護用エプロンは、エプロン部１と首掛け部２とから構成され  ている。エプロン部１は、表面が吸水性シートからなり、裏面が非吸水性シートから構成される。          表面に使用する吸水性シートの素材は特に限定されないが、例えばパルプ、レーヨ  ン等の親水性繊維素材を用いることができる。好ましくは、キッチンペーパー等の素材である。          裏面に使用する非吸水性シートの素材としては、特に限定されないが、ポリエチレンやポリプロピレン等の疎水性素材からなるプラスチックシートが用いられる。              エプロン１の上端部を除き、周辺部は吸水性シートと非吸水性シートが接着または        縫着されている。エプロン部１の上端部は吸水性シートと非吸水性シートは接着されておらず、  介護者がエプロンを使用した後に、両シートをめくり上げて表裏反転させることにより吸水性シートに付着したこぼれ物等を内側に包み込むことも可能である。            本考案の使い捨て型介護用エプロンの外形は、特に特定されないが、使用のし易さからおよそ矩形であることが好ましい。  エプロンの大きさは、特に限定されないが、幼児用であれば幅２０乃至３０ｃｍ縦２０乃至５０ｃｍが、大人用であれば幅３０乃至５０ｃｍ縦３０乃至８０ｃｍが好ましい。
【００１０】      首掛け部２は、二層のシートで形成され且つ中央部に切り込みを有し、この切込み部から二分割可能であり、分割した一対の首掛け部が二層のシートを開くことによって一対の環状の手提げとなる構造を有することが好ましい。二層のシート部の材質は、特に限定されないが、エプロン部のプラスチックシートであることが好ましい。    該首掛け部の中央部には、ミシン目等の切り込み部を入れて二分割可能であり、切     り離し可能とすることや、あらかじめ切り離された部分を軽微に接着しておく方法が採用されるが、これらに限定されるものではない。
【００１１】          図２は、本考案の使い捨て型介護用エプロンの首掛け部を中央部から二分割して切  り離した状態を示す。  首掛け部は、切り込み部分を頂点に二層になっておりこの二層部を開くことにより  、分割した一対の首掛け部が、二層のシートを開くことによって一対の環状の手提げとなる構造を有するように構成されている。          環状部の長さは特に限定されないが、開口した際に介助者の腕に掛けやすいように        約１０ｃｍ〜２０ｃｍの範囲が好ましい。  
【００１２】          図３は、図２で切り離した首掛け部を開いて環状とし、この環に腕を通す状態にした様子を示す。
【００１３】          図４は、本考案の使い捨て型介護用エプロンの首掛け部を開口して介助者が腕に掛けた状態を示す。          図５は、介助者が使い捨て型介護用エプロンの複数枚を腕に掛けた状態を示す。            このように介助者が使用後のエプロンを腕に掛けて回収することで、多数の介護者のエプロンを短時間で回収することができる点が本考案の重要な特徴である。
【００１４】    また、本考案では、エプロンの上端部の吸水性シートと非吸水性シート部が開口していることから、容易にめくり上げることが可能であることが本考案の特徴である。          図６において、図６ａは使用後のエプロンをそのままの状態で捨てる場合の模式図  であり、図６ｂは介護者がエプロンに食べ物等をこぼした場合に、エプロン上端部の開口を利用してエプロンを表裏反転させて、こぼした食べ物をエプロンの内部に包み込んだ状態を示す。
【産業上の利用可能性】
【００１５】本考案は、介護施設等で利用できるだけでなく、家庭で野外でのバーベキュー等のレジャー時の使用にも役立つことができる。
【符号の説明】
【００１６】            １  ：  介護用エプロンの本体部分            ２  ：  介護用エプロンの首掛け部分            ３  ：  切り込み部            ４  ：  首掛け部の袋状部分            ５  ：  上端部の開口状態